(57)【要約】【課題】スピーカの破壊やこれに関連する違法行為を防止できる遊技機を提供する。【解決手段】スピーカＳＰからの音圧出力経路に配置される保護部材ＰＲＴか、スピーカＳＰの振動板に一本の導通路ＲＤを密に形成してなる監視経路と、監視経路に検査電流を流通させる給電部Ｖｃｃと、検査電流の流通を監視する検知部Ｇ１と、を設け、検査電流が途絶えたことを検知部Ｇ１が検知すると、異常事態が発生したと判定する。【選択図】図７
2011167288.tif 000002
【特許請求の範囲】
【請求項１】
所定のスイッチ信号がＯＮ状態となると、乱数値に基づく抽選処理を実行して、遊技者に有利な遊技状態を発生させるか否かを決定する遊技機であって、
スピーカからの音圧出力経路に配置される保護部材か、スピーカの振動板に一本の導通路を密に形成してなる監視経路と、
前記監視経路に検査電流を流通させる給電部と、
前記検査電流の流通を監視する検知部と、を設け、
前記検査電流が途絶えたことを前記検知部が検知すると、異常事態が発生したと判定するよう構成されたことを特徴とする遊技機。
【請求項２】
前記保護部材は、多数の開口が散点状に配置されたシート材であり、前記開口に近接して前記導通路が形成されている請求項１に記載の遊技機。
【請求項３】
前記シート材は、破損容易な素材で形成されている請求項２に記載の遊技機。
【請求項４】
前記開口の外周には、径方向に広がる切欠きが形成されている請求項２又は３に記載の遊技機。
【請求項５】
前記スピーカの振動板には、導電塗料が塗布されて前記導通路が形成されている請求項１に記載の遊技機。
【請求項６】
前記検査電流は、遊技機の動作中、定常的に流れる直流電流である請求項１〜５の何れかに記載の遊技機。
【請求項７】
前記監視経路は、スピーカのボイスコイルに直列に形成され、
前記検査電流は、前記ボイスコイルに流れる音声電流を兼ねる請求項１〜５の何れかに記載の遊技機。
【請求項８】
スピーカのボイスコイルに直列に、第１スイッチ部が設けられ、
スピーカのボイスコイルの並列に、第２スイッチ部及び電流検出部の直列回路が設けられ、
遊技機によるスピーカ駆動時には、第１スイッチがＯＮ状態に制御され、第２スイッチ部がＯＦＦ状態に制御される請求項１〜７の何れかに記載の遊技機。
【請求項９】
遊技機によるスピーカ駆動動作が終了した後は、第１スイッチがＯＦＦ状態に制御され、第２スイッチ部がＯＮ状態に制御される請求項８に記載の遊技機。
【請求項１０】
前記抽選処理を含んで遊技動作を中心統括的に制御する主制御部と、前記主制御部から出力される制御コマンドに基づいて従属的に動作するサブ制御部とを有し、
前記給電部、及び前記検知部は、サブ制御部に設けられる請求項１〜９の何れかに記載の遊技機。
【発明の詳細な説明】
【技術分野】
【０００１】
本発明は、コンピュータ装置を内蔵する電子遊技機に関し、特に、遊技媒体としてメダル又は遊技球を用いる回胴遊技機や弾球遊技機に好適に適用される。
【背景技術】
【０００２】
スロットマシンなどの回胴遊技機では、遊技者がメダル投入口にメダルを投入してスタートレバーを操作すると、これに応じて、回転リールの回転が開始される。そして、遊技者がストップボタンを押して回転リールを停止させたとき、停止ライン上の図柄が揃うと、その図柄に応じた配当メダルが払い出されるようになっている。但し、各ゲームの当否状態は、実際には、機器内部の抽選処理によって各ゲームの開始時に予め決まっており、この抽選処理によって当選した図柄を、遊技者が停止ライン上に揃えることで配当メダルが払出される。
【０００３】
ところで、この抽選処理に当選するか否かの当選確率は、例えば、六段階に区分されており、その何れの区分に設定するかは、設定スイッチによって手動設定できるよう構成されている。通常、遊技ホールの係員は、営業開始に先立って設定スイッチを操作して、払出メダルの期待値が高い遊技機と、そうでない遊技機とを適宜に振り分けている。
【発明の概要】
【発明が解決しようとする課題】
【０００４】
そのため、例えば、合鍵などを利用して遊技機を開放して、設定スイッチの設定値を変更しようとする違法も懸念されるところである。また、より直接的には、遊技機内部に蓄えられている多数のメダルを盗み出す違法も懸念される。
【０００５】
そのため、このような違法行為を未然防止するため、各遊技機には、各種のセンサが設けられており、異常事態の発生を検出すると警報音が鳴るよう構成されている。
【０００６】
しかしながら、もし違法行為者がスピーカの振動板（コーン紙）を破壊したり、スピーカ回路を切断すると、警報音は消滅するので、違法行為を排除できないおそれがある。また、スピーカの配置箇所は、一応、遊技機の内外が連通しているので、この連通路を悪用する違法行為を懸念されるところである。
【０００７】
本発明は、上記の問題点に鑑みてなされたものであって、スピーカの破壊やこれに関連する違法行為を防止できる遊技機を提供することを目的とする。
【課題を解決するための手段】
【０００８】
上記の目的を達成するため、本発明は、所定のスイッチ信号がＯＮ状態となると、乱数値に基づく抽選処理を実行して、遊技者に有利な遊技状態を発生させるか否かを決定する遊技機であって、スピーカからの音圧出力経路に配置される保護部材か、スピーカの振動板に一本の導通路を密に形成してなる監視経路と、前記監視経路に検査電流を流通させる給電部と、前記検査電流の流通を監視する検知部と、を設け、前記検査電流が途絶えたことを前記検知部が検知すると、異常事態が発生したと判定するよう構成されたことを特徴とする。なお、図７の実施例では、一応、検知部がバッファＧ１で構成されているが、ワンチップマイコン７０その他で構成しても良いのは勿論である。また、図７の実施例では、異常信号ＥＲがワンチップマイコン７０に供給されるので、ワンチップマイコン７０が、異常事態が発生したと判定する。
【０００９】
前記保護部材は、好ましくは、多数の開口が散点状に配置されたシート材であり、前記開口に近接して前記導通路が形成されている。ここで、前記シート材は、破損容易な素材で形成されているのが好ましい。また、前記開口の外周には、径方向に延びる切欠きが形成されているのが好適である。
【００１０】
前記スピーカの振動板には、導電塗料が塗布されて前記導通路が形成されているのが簡易的である。また、前記検査電流は、遊技機の動作中、定常的に流れる直流電流であるのが簡易的である。
【００１１】
もっとも、前記監視経路は、スピーカのボイスコイルに直列に形成され、前記検査電流は、前記ボイスコイルに流れる音声電流を兼ねる構成を採るのも好適である。また、スピーカのボイスコイルに直列に、第１スイッチ部が設けられ、スピーカのボイスコイルの並列に、第２スイッチ部及び電流検出部の直列回路が設けられ、遊技機によるスピーカ駆動時には、第１スイッチがＯＮ状態に制御され、第２スイッチ部がＯＦＦ状態に制御されるのも効果的である。この場合、遊技機によるスピーカ駆動動作が終了した後は、第１スイッチがＯＦＦ状態に制御され、第２スイッチ部がＯＮ状態に制御されると更に好適である。
【００１２】
また、本発明は、前記抽選処理を含んで遊技動作を中心統括的に制御する主制御部と、前記主制御部から出力される制御コマンドに基づいて従属的に動作するサブ制御部とを有し、前記給電部、及び前記検知部は、サブ制御部に設けられるのが好ましい。
【発明の効果】
【００１３】
上記した本発明によれば、スピーカの破壊やこれに関連する違法行為を検出して、それ以上の違法行為を防止できる遊技機を実現することができる。
【図面の簡単な説明】
【００１４】
【図１】実施例に係るスロットマシンの正面図である。
【図２】図１のスロットマシンの右側面図（ａ）と平面図（ｂ）である。
【図３】スロットマシンの前面パネルを背面から図示した図面である。
【図４】スロットマシンの本体ケースの内部正面図である。
【図５】図１のスロットマシンの回路構成を示すブロック図である。
【図６】演出制御基板と演出インタフェイス基板との接続関係を示すブロック図である。
【図７】異常検出回路とスピーカの保護部材を説明する図面である。
【図８】別の異常検出回路を説明する図面である。
【図９】更に別の異常検出回路を説明する図面である。
【発明を実施するための形態】
【００１５】
以下、実施例に基づいて本発明を更に詳細に説明する。
【００１６】
図１〜図４は、実施例に係るスロットマシンＳＬを図示したものである。図１は前面パネル２の正面図、図２はスロットマシンＳＬの右側面図（ａ）と平面図（ｂ）、図３は前面パネル２の背面図、図４は本体ケース１の内部正面図を示している。
【００１７】
本スロットマシンＳＬは、矩形箱状の本体ケース１と、各種の遊技部材を装着した前面パネル２とが、ヒンジ３を介して連結され、前面パネル２が本体ケース１に対して開閉可能に構成されている（図２）。そして、前面パネル２が開放されたことは、ドアセンサＤＲ（図５）によって検出可能に構成されている。
【００１８】
図４に示す通り、本体ケース１の略中央には、３つの回転リール４ａ〜４ｃを備える図柄回転ユニット４が配置され、その下側に、メダル払出装置５が配置されている。各回転リール４ａ〜４ｃには、ＢＢ図柄、ＲＢ図柄、各種のフルーツ図柄、及びリプレイ図柄などが描かれている。メダル払出装置５には、メダルを貯留するメダルホッパー５ａと、払出モータＭＯと、メダル払出制御基板５５と、払出中継基板６３と、メダル検出センサＳＥ（図５）などが設けられている。ここで、メダルは、払出モータＭＯの回転に基づいて、払出口５ｂから図面手前に向けて導出される。なお、限界量を越えて貯留されたメダルは、オーバーフロー部５ｃを通して、補助タンク６に落下するよう構成されている。
【００１９】
上記のメダル払出装置５に隣接して電源基板６２が配置され、また、図柄回転ユニット４の上部に主制御基板５０が配置され、主制御基板５０に隣接して回胴設定基板５４が配置されている。なお、図柄回転ユニット４の内部には、回胴ＬＥＤ中継基板５８と回胴中継基板５７とが設けられ、図柄回転ユニット４に隣接して外部集中端子板５６が配置されている。
【００２０】
図１に示すように、前面パネル２の上部には液晶表示ユニット７が配置され、その下部には、回転リール４ａ〜４ｃに対応する３つの表示窓８ａ〜８ｃが配置されている。表示窓８ａ〜８ｃを通して、各回転リール４ａ〜４ｃの回転方向に、各々３個程度の図柄が見えるようになっており、合計９個の図柄の水平方向の三本と、対角線方向の二本が仮想的な停止ラインとなる。このような表示窓８ａの左側には、遊技状態を示すＬＥＤ群９が設けられ、その下方には、遊技成果として払出されるメダル数を表示する払出表示部１０や、クレジット状態のメダル数を表示する貯留数表示部１１が設けられている。
【００２１】
前面パネル２の垂直方向中央には、メダルを投入するメダル投入口１２が設けられ、これに隣接して、メダル投入口１２に詰まったメダルを返却させるための返却ボタン１３が設けられている。また、クレジット状態のメダルを払出すクレジット精算ボタン１４と、メダル投入口１２へのメダル投入に代えてクレジット状態のメダルを擬似的に一枚投入する投入ボタン１５と、クレジット状態のメダルを擬似的に三枚投入するマックス投入ボタン１６とが設けられている。
【００２２】
これらの遊技部材の下方には、回転リール４ａ〜４ｃの回転を開始させるスタートレバー１７と、回転中の回転リール４ａ〜４ｃを停止させるためのストップボタン１８ａ〜１８ｃが設けられている。その他、前面パネル２の下方には、メダルを蓄える横長の受け皿１９と、払出装置５の払出口５ｂに連通するメダル導出口２０とが設けられている。なお、メダル導出口２０の左右にはスピーカＳＰが配置されている。
【００２３】
図３に示すように、前面パネル３の裏側には、メダル投入口１２に投入されたメダルの選別を行うメダル選別装置２１と、メダル選別装置２１により不適正と判別されたメダルをメダル導出口２０に案内する返却通路２２とが設けられている。また、前面パネル３の裏側上部には、演出制御基板５１、演出インタフェイス基板５２、及び液晶制御基板６１などを収容する基板ケース２３が配置されている。そして、メダル選別装置２１の上部には、図１に示す各種の遊技部材と主制御基板５０との間の信号を中継する遊技中継基板５３が設けられている。
【００２４】
図５は、実施例に係るスロットマシンＳＬの回路構成を示すブロック図である。図示の通り、このスロットマシンＳＬは、回転リール４ａ〜４ｃを含む各種の遊技部材の動作を制御する主制御基板５０と、主制御基板５０から受けた制御コマンドに基づいて演出動作を実現する演出制御基板５１と、交流電圧（２４Ｖ）を直流電圧（５Ｖ，１２Ｖ，２４Ｖ）に変換して装置各部に供給する電源基板６２とを中心に構成されている。
【００２５】
主制御基板５０は、演出制御基板５１に対して、スピーカＳＰによる音声演出、ＬＥＤランプや冷陰極線管放電管によるランプ演出、及び、液晶表示ユニット７による図柄演出を実現するための制御コマンドを出力している。そして、演出制御基板５１は、演出インタフェイス基板５２を通して、液晶制御基板６１に接続されており、液晶制御基板６１は、液晶表示（ＬＣＤ）ユニット７における図柄演出を実現している。
【００２６】
なお、主制御基板５０から出力される制御コマンドには、異常事態の発生を示す異常報知コマンドも含まれており、このような制御コマンドを受けた演出制御基板５１は、スピーカＳＰから警報音を出力するようになっている。
【００２７】
演出制御基板５１は、演出インタフェイス基板５２と共に、ＬＥＤ基板５９やインバータ基板６０や回胴ＬＥＤドライブ基板５８を経由して、各種のＬＥＤや冷陰極線管放電管におけるランプ演出を実現している。また、演出制御基板５１は、演出インタフェイス基板５２を通してスピーカＳＰを駆動して音声演出を実現している。また、スピーカＳＰから警報音を出力されることがあることは、前記した通りである。
【００２８】
主制御基板５０は、遊技中継基板５３を通して、スロットマシンの各種遊技部材に接続されている。具体的には、スタートレバー１７の始動スイッチ、ストップボタン１８ａ〜１８ｃの停止スイッチ、投入ボタン１５，１６の投入スイッチ、清算ボタン１４の清算スイッチ、投入枚数判定部２１ｄを構成するフォトインタラプタＰＨ１，ＰＨ２、投入メダル返却部２１ｃを構成するブロッカーソレノイド３１、及び、各種ＬＥＤ素子９〜１１などに接続されている。
【００２９】
また、主制御基板５０は、回胴中継基板５７を経由して、回転リール４ａ〜４ｃを回転させる３つのステッピングモータ、及び、回転リール４ａ〜４ｃの基準位置を検出するためのインデックスセンサに接続されている。そして、ステッピングモータを駆動又は停止させることによって、回転リール４ａ〜４ｃの回転動作と、目的位置での停止動作を実現している。
【００３０】
主制御基板５０は、払出中継基板６３を通してメダル払出装置５にも接続されている。メダル払出装置５には、メダル払出制御基板５５と、メダル検出センサＳＥと、払出モータＭＯとが設けられており、メダル払出制御基板５５は、主制御基板５０からのメダル払出信号ＰＡＹに基づいて払出モータＭＯを回転させて、所定量のメダルを払出している。なお、払出モータＭＯは、ブラシモータなどのＤＣモータであり、ＤＣ２４Ｖを受けている限り回転を継続する。
【００３１】
その他、主制御基板５０は、外部集中端子板５６と、回胴設定基板５４にも接続されている。外部集中端子板５６は、例えばホールコンピュータＨＣに接続されており、主制御基板５０は、外部集中端子板５６を通して、メダルの投入枚数やメダルの払出枚数などを出力している。また、回胴設定基板５４は、係員が設定した確率的なメダル払出枚数のランク設定値を示す設定キー信号などを出力している。
【００３２】
なお、ランク設定値は、例えば、六段階に区分されており、大量のメダル払出が期待されるビッグボーナスゲーム（ＢＢ）やレギュラーボーナスゲーム（ＲＢ）を開始させるか否かの当選確率が、ランク設定値によって規定されている。したがって、例えば、違法行為者が、合鍵を使用して前面パネル２を開放し、この設定値を意図的に最高ランクに変更するおそれもある。
【００３３】
そこで、このような違法に対処するため、本実施例では、各種の防犯回路（ドアセンサＤＲなど）が設けられており、異常を検出するとスピーカＳＰから警報音を発するよう構成されている。
【００３４】
図６は、演出制御基板５１と、演出インタフェイス基板５２の内部回路を示す概略図である。図示の通り、演出制御基板５１には、主制御基板５０から受ける制御コマンドに基づいて各種の遊技動作を制御するワンチップマイコン７０と、ワンチップマイコン７０の制御プログラムを記憶するＥＰＲＯＭ７１と、ワンチップマイコン７０からの指示に基づいて音声信号ＡＯを出力する音声再生出力回路７２と、圧縮音声データを記憶する音声用メモリ７３と、が設けられている。
【００３５】
ワンチップマイコン７０には、入力ポート７０ａ，７０ｂと、出力ポート７０ｃが設けられている。そして、入力ポート７０ａには、異常事態の発生を示す異常信号ＥＲが供給されている。ここで、異常事態とは、スピーカＳＰの配置箇所に、何らかの破壊行為が認められたことを意味する。
【００３６】
また、入力ポート７０ｂには、主制御基板５０が出力する制御コマンドＣＭＤがストローブ信号ＳＴＢと共に供給されている。なお、ストローブ信号ＳＴＢは、ワンチップマイコン７０のＣＰＵコアの割込み端子に供給されており、ストローブ信号ＳＴＢにより起動された受信割込み処理によって、制御コマンドＣＭＤが取得されるよう構成されている。
【００３７】
一方、出力ポート７０ｃからは、主制御基板５０から受けた制御コマンドであって液晶制御基板６１に転送すべき制御コマンドＣＭＤや、演出制御基板５１で新規に生成された制御コマンドＣＭＤが出力される。また、遊技機の電源投入時や係員によるリセット操作時には、出力ポート７０ｃから異常検出回路７５に対して、リセット信号ＲＳＴが出力される。
【００３８】
このような演出制御基板５１の回路構成に対応して、演出インタフェイス基板５２には、音声信号ＡＯを増幅するデジタルアンプ７４と、スピーカＳＰの破壊行為を検出する異常検出回路７５と、出力ポート７０ｃから出力される制御コマンドＣＭＤ及びストローブ信号ＳＴＢを受けるバッファ７６とが設けられている。
【００３９】
この実施例では、スピーカＳＰの前面に、円形の保護シートＰＲＴが配置されており、保護シートＰＲＴの前面は、円形のパンチングメタルＰＭを経由して外部に連通している。なお、パンチングメタルＰＭは、鋼板・ステンレス板・アルミ板などの平面板に多数の開口穴を設けて構成されている。
【００４０】
図７（ａ）は、保護シートＰＲＴの平面形状を図示したものである。実施例の保護シートＰＲＴは、多数の開口穴ＨＯ・・・ＨＯを散点状に設けたフレキシブルプリント基板で構成されている。開口穴ＨＯは、各々、直径１〜３ｍｍ程度であり、スピーカＳＰからの空気振動を外部に伝送可能に構成されている。
【００４１】
また、開口穴ＨＯの外周には、径方向の切込みＣＵＴが多数形成され、各開口穴ＨＯは、パンチングメタルＰＭの開口穴とは、その配置位置が一致しないよう構成されている。そのため、違法器具を開口穴ＨＯに挿入することは非常に困難であり、もし、違法器具が開口穴ＨＯを通過しても、その行為によって、切込みＣＵＴが径方向に広がる結果となる。
【００４２】
また、フレキシブルプリント基板は、ベースフィルムの上層に１本の導通路を形成して構成され、全体として数１０μｍ程度の厚みを有している。導通路ＲＤは、図７（ａ）に示すように、開口穴ＨＯ・・・ＨＯに近接して、始端Ｔ１から終端Ｔ２まで１本の経路で、例えば、螺旋状に形成されている。そのため、開口穴ＨＯの切込みＣＵＴが広がると、導通路ＲＤの導通が直ちに途絶えることになる。なお、螺旋状の導通路ＲＤがインダクタとして機能して、スピーカＳＰのボイルコイルと電磁結合する可能性があるので、導通路ＲＤとボイスコイルとの間には十分な離間距離が確保されている。
【００４３】
図７（ｂ）は、異常検出回路７５の回路構成を例示したものである。この異常検出回路７５は、プルアップ抵抗Ｒ１及び導通路ＲＤの直列回路と、異常信号ＥＲを出力するバッファ回路Ｇ１と、ブザー回路とで構成されている。なお、バッファ回路Ｇ１は省略可能である。また、ブザー回路は、ベース抵抗Ｒ２と、ブザー電流に対応する警報音を発するブザーＢＺと、ブザー電流を規定するコレクタ抵抗Ｒ３と、スイッチングトランジスタＱ１とで構成されている。
【００４４】
正常状態では、バッファ回路Ｇ１の入力端子が、導通路ＲＤによってグランドに短絡されるので、バッファ回路Ｇ１の入力及び出力はＬレベルである。しかし、スピーカＳＰを破壊しようとする違法行為時には、導通路ＲＤの一部が破壊されるので、バッファ回路Ｇ１の入力がＬレベルからＨレベルに遷移して、Ｈレベルの異常信号ＥＲが出力される。すると、トランジスタＱ１がＯＮ動作することで、ブザーＢＺから警報音が出力される。異常信号ＥＲは、ワンチップマイコン７０の入力ポート７０ａに供給されており（図６参照）、ワンチップマイコン７０は、入力ポート７０ａのデータを定期的にチェックすることで異常事態の発生を把握することができる。なお、異常信号ＥＲを割込み信号として、ワンチップマイコン７０に供給しても良いのは勿論である。
【００４５】
なお、図７（ａ）では、スピーカＳＰの前面に、フレキシブルプリント基板による保護シートＰＲＴを配置したが、例えば、比較的破れ易い紙シートに、多数の開口穴ＨＯ・・・ＨＯを設けると共に、導電塗料などを塗布して一本の導通路ＲＤを形成したのでも良い。導通路ＲＤは、一筆書きできる模様であれば何ら限定されず、例えば、花弁模様などに形成される。
【００４６】
また、スピーカＳＰの振動板（コーン紙）そのものに、一本の導通路ＲＤを設けても良い。この場合、導通路ＲＤは、配線ケーブルで形成しても良いし、導電塗料などを塗布して形成しても良い。図７（ｃ）は、スピーカＳＰの振動板に、螺旋状の導通路ＲＤを形成した実施例を示している。なお、この場合も、導通路ＲＤは、一筆書きできる適宜な模様に変更可能である。
【００４７】
異常検出回路７５の回路構成（図７（ｄ））は、簡易的には、図７（ｂ）の場合と同様であり、スピーカＳＰを破壊しようとする違法行為時には、導通路ＲＤが破壊されることで、バッファ回路Ｇ１の入力がＬレベルからＨレベルに遷移して、Ｈレベルの異常信号ＥＲが出力される。なお、バッファ回路Ｇ１を省略できるのは勿論である。
【００４８】
以上、スピーカＳＰそのものに容易に破損する導通路を設けるか、スピーカＳＰに近接して破損容易な導通路ＲＤを設けて違法行為を検出する実施例について説明したが、何らこのような構成に限定されない。
【００４９】
例えば、図８は、ダイナミック型のスピーカＳＰを集音マイクとして活用した実施例である。スピーカ破壊時には、スピーカＳＰの振動板に加わる物理力に基づいて、スピーカＳＰからパルス状の音声信号が出力されるので、この実施例では、その音声信号のレベルを判定することで異常信号ＥＲを出力している。なお、図８の回路構成を採る場合でも、これに追加して図７（ａ）や図７（ｂ）の機器構成を採るのが好ましい。
【００５０】
何れにしても、異常検出回路７５の主要部は、スピーカＳＰに並列接続されて構成されている。そして、図８に示すように、ワンチップマイコン７０からの制御信号ＣＴＬを受けてＯＮ／ＯＦＦ動作するトランジスタＱ２と、トランジスタＱ２のコレクタ電流により通電されるリレーコイルＬ１と、リレーコイルＬ１の通電時にＯＦＦ動作する常閉接点Ｓ１と、リレーコイルＬ１の通電時にＯＮ動作する常開接点Ｓ２と、シャント抵抗Ｒｓの両端電圧を増幅する増幅回路８１と、平滑回路８２と、ブザー回路８４とで構成されている。
【００５１】
増幅回路８１として、この実施例では、Texas Instrument社のＩＮＡ１３９(CURRENT SHUNT MONITOR)を使用している。このＩＣは、増幅部と出力トランジスタＱとを有し、シャント抵抗Ｒｓの両端電圧（＝Ｒｓ＊ｉ）に比例する電流Ｉ（＝ａ＊Ｒｓ＊ｉ）を出力トランジスタＱから出力するよう構成されている。また、平滑回路（包絡線検波回路）８２は、増幅回路８１の負荷抵抗ＲＬと平滑コンデンサＣ１とが並列接続されて構成されている。
【００５２】
本実施例では、スピーカＳＰの音声電流路に常閉接点Ｓ１を配置しているので、スピーカＳＰが機能している音声演出時には、シャント抵抗Ｒｓの両端電圧（＝Ｒｓ＊ｉ）はゼロであり、異常検出回路７５は、実質的に機能しない。一方、音声演出を実行していないタイミングでは、ワンチップマイコン７０がＨレベルの制御信号ＣＴＬを出力することで、常閉接点Ｓ１がＯＦＦ動作する一方で、常開接点Ｓ２がＯＮ動作する。
【００５３】
このような異常監視状態において、不正遊技者がスピーカＳＰを破壊しようとしたと仮定する。この場合には、スピーカＳＰの振動板に過大な力が加わることで、（少なくとも瞬間的に）、通常は、繰り返しパルス状の電圧がスピーカＳＰのボイスコイルに発生する。すると、シャント抵抗Ｒｓの両端に有意な異常電圧（＝Ｒｓ＊ｉ）が発生することになり、出力トランジスタＱからこれに比例する電流Ｉ（＝ａ＊Ｒｓ＊ｉ）が出力される。
【００５４】
増幅回路８１の負荷抵抗ＲＬは、十分大きい抵抗値に設定されているので、負荷抵抗ＲＬの両端電圧は、ＴＴＬ閾値レベルを超えることになり、バッファ回路Ｇ３からＨレベルの出力が得られる。その結果、他の実施例と同様に異常信号ＥＲが出力されると共にブザー音が発生される。したがって、本実施例によれば、導通路ＲＤが切断されたか否かに拘らず、違法行為の初期タイミングで異常事態を発見できる利点がある。なお、警報音を継続させるためには、破線で示すように、ブザー回路８４の入力側にラッチ回路を設けるか、或いは、リレーコイルＬ２による記憶保持機能を設けたブザー回路８４’とするのが好ましい。なお、ラッチ回路やブザー回路８４’は、係員が解除スイッチを操作することで初期状態にリセットされるよう構成される。
【００５５】
何れにしても、この実施例では、異常信号ＥＲが割込み信号として、演出制御基板５１のワンチップマイコン７０に供給されているので、破壊異常に対応した適宜な処理が可能となる。例えば、液晶制御基板（画像制御部）６１では、液晶表示ユニット７に、例えば、「スピーカの異常を検出しました。」のような画面表示がされる。また、異常検出時にホールコンピュータへの通報を実行し、これに加えて、ＬＥＤの発光制御を行うのも好適である。この場合、遊技機前面の目立ちやすい位置に設けられているＬＥＤを発光させることで、周囲の係員が異常状態を発見しやすくなる利点がある。
【００５６】
以上、本発明の実施例について具体的に説明したが、具体的な記載内容は特に本発明を限定する趣旨ではない。特に、先の実施例ではスロットマシンについて説明したが、弾球遊技機その他の遊技機でも、本発明は好適に機能する。
【００５７】
また、上記の実施例では、導通路ＲＤを、音声演出用の回路とは別に設けたが、スピーカＳＰのボイルコイルに直列に導通路ＲＤを設けても良い（図９のスピーカ部参照）。このような構成を採る場合には、図８の回路構成と組み合わせるのも好適である。すなわち、図９に示す通り、スピーカＳＰのボイルコイルに直列に導通路ＲＤを設けると共に、導通路ＲＤに直列にシャント抵抗Ｒｓ’を配置しても良い。なお、導通路ＲＤは、図７（ｂ）に示すようにスピーカＳＰの振動板に設けても良いが、音声電流の大きさに鑑みると、図９に示す通り、保護シートＰＲＴに形成するのが好ましい。
【００５８】
図９に示す異常検出回路７５では、音声演出時には、ボイスコイルに流れる音声電流が、保護シートＰＲＴの導通路ＲＤを経由してシャント抵抗Ｒｓ’に流れる。そのため、増幅回路ＡＰの出力は、比較的大容量のコンデンサＣ２で平滑されてＨレベルを維持する。ところが、スピーカＳＰの破壊行為時には、導通路ＲＤが遮断されることで、増幅回路ＡＰの出力がＬレベルとなり、Ｌレベルの異常信号ＥＲ２が出力される。
【００５９】
一方、音声演出を実行していないタイミングでは、図８の回路と同様の動作をするので、スピーカＳＰの破壊行為時には、増幅回路８１の出力がＨレベルとなり、Ｈレベルの異常信号ＥＲ２が出力される。
【００６０】
以上の通り、図９のような回路構成によれば、遊技機が音声演出状態であるか否かに拘らず、違法行為を検出することができる。
【符号の説明】
【００６１】
ＳＰ    スピーカ
ＰＲＴ  保護部材
ＲＤ    導通路
Ｖｃｃ  給電部
Ｇ１    検知部
【図１】
2011167288.tif 000003
【図２】
2011167288.tif 000004
【図３】
2011167288.tif 000005
【図４】
2011167288.tif 000006
【図５】
2011167288.tif 000007
【図６】
2011167288.tif 000008
【図７】
2011167288.tif 000009
【図８】
2011167288.tif 000010
【図９】
2011167288.tif 000011